(57)【要約】【課題】商店等において商品をケースに収納した状態で陳列することができ、そのケースを店員等が手作業で簡単に組立てることが可能であり、しかも高さ方向に積み重ねた状態にしても歪まずに陳列可能であるディスプレイケースを提供する。【解決手段】前面側に開口窓を有すると共に上方が開放された箱形状の本体と、該本体の上方に被せる蓋体とから構成され、本体は前面部と背面部とを立ち上げた状態にしたとき、左右の前方側板部と後方側板部とが上下方向に互い違いに差し込まれる差込溝が形成された差込片を備え、底面部の左右の押さえ片に形成した係止片を左右の前方側板部と後方側板部の各面内に形成した係止穴に挿着し、蓋体は天面部の左右の各側面部を折返線で折り返して側部折込片を挟み込むと共に、各側面部の突起片を天面部の切込片に形成した係止穴に挿着し、天面部から上方へ突出させた状態で本体の底面部に形成した差込穴に差し込むようにした。【選択図】図１
2014004019.tif 000002
【特許請求の範囲】
【請求項１】
前面側に開口窓を有すると共に上方が開放された箱形状の本体と、該本体の上方に被せる蓋体とから構成され、
本体は、少なくとも四辺を有する底面部の前辺と後辺に沿う各折曲線を介して連設された前面部と背面部とを備え、前面部の左右の辺に沿う各折曲線を介して左右の前方側板部が形成され、背面部の左右の辺に沿う各折曲線を介して左右の後方側板部が形成され、これらの前面部と背面部とを立ち上げた状態にしたとき、夫々の前方側板部と後方側板部とが上下方向に互い違いに差し込まれる差込溝が形成された差込片を備え、底面部の左右の辺に沿う各折曲線を介して連設された押さえ片の上部の左右に係止片を形成し、各押さえ片を立ち上げた状態にして各係止片を挿着する係止穴を左右の前方側板部と後方側板部の各面内に形成し、
蓋体は、本体の底面部よりもやや広く形成した天面部の前辺と後辺と左右の辺に沿う各折曲線を介して連設された前面部と背面部と左右の側面部を備え、各前面部と背面部の左右には折曲線を介して側部折込片が連設され、天面部の左右の辺に沿う折曲線を介して連設された各側面部は夫々の側面部の半分の高さに形成した折返線で折り返し可能とされ、前面部と背面部とを立ち上げた状態で内側に折り込んだ夫々の側部折込片を折り返した各側面部で挟み込むと共に、各側面部の端辺に形成した突起片を挿着する挿着穴を天面部に沿って折曲げ可能なコ字形の切込片に形成し、各側面部の突起片を各挿着穴に挿着して天面部から上方へ突出させた状態で該突起片を差し込む差込穴を本体の底面部の所定位置に形成したことを特徴とするディスプレイケース。
【請求項２】
本体の背面部を立ち上げた状態で該背面部と左右の各後方側板部との間に傾斜面を形成したことにより本体の周壁が六角形状となるように形成する一方、
該本体の周壁の形状に応じて蓋体の天面部の後辺の隅部に傾斜辺を形成することにより蓋体の天面部を六角形状に形成し、該蓋体の天面部の傾斜辺に応じて蓋体の背面部の左右の側部折込片に折込線を形成したことにより該蓋体の周壁を六角形状に形成可能としたことを特徴とする請求項１記載のディスプレイケース。
【発明の詳細な説明】
【技術分野】
【０００１】
本発明は、商店等において商品をケースに収納した状態で陳列することができるディスプレイケースに関する。
【背景技術】
【０００２】
従来、商店等に商品を陳列する際、比較的軽量な商品を段ボール等で構成したディスプレイケースに収納した状態で陳列する場合がある。
【０００３】
このようなディスプレイケースは、前面側に開口窓を設けると共に、積載時の積載荷重が作用した場合でも、本体が歪んだりしないように耐荷重性能を確保する必要がある。また、高さ方向に積載状態で陳列する場合に備え、ケースの構造に天面部を必要とする。
【０００４】
そのようなディスプレイケースの従来例として、特許文献１に示すディスプレイカートンを挙げる。このディスプレイカートンは一枚の段ボールで展開形状を形成し、天面は背壁と両側の側壁の延長に形成したフラップを折り曲げることによって形成するようにしている。また、前面の開口窓は、両側の側壁に連設したフラップを前面の開口窓の下部に折り曲げると共に、底壁の延長に形成した正面下枠を折り曲げて、上記の開口窓の下部に折り曲げたフラップを挟み込むという構造を有する。
【０００５】
このように、特許文献１のディスプレイカートンの構造は、一枚の段ボールで構成してあるため、展開形状が必然的に複雑なものとなる。従って、このディスプレイカートンの展開形状を店舗等に運搬した後、店員等が店舗の倉庫等で組み立てる作業に手間を要するという不都合が生じる。
【０００６】
また、特許文献１のディスプレイカートンの構造において、耐荷重性能を確保するために、仕切板と補強部を別の１枚の段ボールで形成した構造としてあり、その分だけ段ボールの構造に無駄が生じるという不都合があった。
【０００７】
このような従来の構造を検討すると、工場から展開形状で搬送した後、店員が店舗の倉庫等で組み立てる作業を簡易に行うには、展開形状を目視しただけで、組立て工程が容易にイメージできるように簡単な構造であることが望ましい。
【０００８】
また、ケースの耐荷重性能を確保する構造が複雑とならないようにすることも肝要であり、簡単なケースの展開形状であっても、積載時に歪まない構造とする必要がある。
【０００９】
さらには、ディスプレイケースを高さ方向に積載する際、各ケースに横ずれが生じないように、上下のケースの積載構造に係止手段を設けた構造とするのが望ましい。また、その場合も、ケースの展開形状が組立ての困難な形状とならないようにする必要がある。
【先行技術文献】
【特許文献】
【００１０】
【特許文献１】特開２００６−２７７３０号公報
【発明の概要】
【発明が解決しようとする課題】
【００１１】
本発明は、上記の事情に鑑みてなされたものであり、商店等において商品をケースに収納した状態で陳列することができ、そのケースを店員等が手作業で簡単に組立てることが可能であり、しかも高さ方向に積み重ねた状態にしても歪まずに陳列可能であるディスプレイケースを提供することを目的とする。
【課題を解決するための手段】
【００１２】
上記の課題を解決するために、本発明における請求項１のディスプレイケースは、前面側に開口窓を有すると共に上方が開放された箱形状の本体と、該本体の上方に被せる蓋体とから構成され、本体は、少なくとも四辺を有する底面部の前辺と後辺に沿う各折曲線を介して連設された前面部と背面部とを備え、前面部の左右の辺に沿う各折曲線を介して左右の前方側板部が形成され、背面部の左右の辺に沿う各折曲線を介して左右の後方側板部が形成され、これらの前面部と背面部とを立ち上げた状態にしたとき、夫々の前方側板部と後方側板部とが上下方向に互い違いに差し込まれる差込溝が形成された差込片を備え、底面部の左右の辺に沿う各折曲線を介して連設された押さえ片の上部の左右に係止片を形成し、各押さえ片を立ち上げた状態にして各係止片を挿着する係止穴を左右の前方側板部と後方側板部の各面内に形成し、蓋体は、本体の底面部よりもやや広く形成した天面部の前辺と後辺と左右の辺に沿う各折曲線を介して連設された前面部と背面部と左右の側面部を備え、各前面部と背面部の左右には折曲線を介して側部折込片が連設され、天面部の左右の辺に沿う折曲線を介して連設された各側面部は夫々の側面部の半分の高さに形成した折返線で折り返し可能とされ、前面部と背面部とを立ち上げた状態で内側に折り込んだ夫々の側部折込片を折り返した各側面部で挟み込むと共に、各側面部の端辺に形成した突起片を挿着する挿着穴を天面部に沿って折曲げ可能なコ字形の切込片に形成し、各側面部の突起片を各挿着穴に挿着して天面部から上方へ突出させた状態で該突起片を差し込む差込穴を本体の底面部の所定位置に形成したことを特徴とする。
【００１３】
また、本発明の請求項２のディスプレイケースは、請求項１において、本体の背面部を立ち上げた状態で該背面部と左右の各後方側板部との間に傾斜面を形成したことにより本体の周壁が六角形状となるように形成する一方、該本体の周壁の形状に応じて蓋体の天面部の後辺の隅部に傾斜辺を形成することにより蓋体の天面部を六角形状に形成し、該蓋体の天面部の傾斜辺に応じて蓋体の背面部の左右の側部折込片に折込線を形成したことにより該蓋体の周壁を六角形状に形成可能としたことを特徴とする。
【発明の効果】
【００１４】
本発明のディスプレイケースは蓋体と本体とを分割した構造とされ、本体の上方に蓋体を被せて蓋をすることができる構成としている。従って、ディスプレイケースは、夫々の蓋体と本体とを個別に段ボールに展開形状として形成することができるため、各蓋体と本体の展開形状が複雑とならないように構成することが可能となる。
【００１５】
即ち、本体の展開形状において、底面部の前後に形成された前面部と背面部とを立ち上げただけで、前面部と背面部の左右の前方側面部と後方側面部とが同時に立ち上がり、前方側面部と後方側面部との夫々の差込溝を互いに上下方向に差し込むだけで本体の側面が形成される。また、前方側面部と後方側面部とが分離しないように、底面部の左右に立ち上げた押さえ片の両側の係止片を前方側板部と後方側板部の各面内に形成した係止穴に挿着して固定することが可能となる。
【００１６】
蓋体もまた、天面部の前後の前面部と背面部とを立ち上げた状態で内側に折り込んだ夫々の側部折込片を折り返した各側面部で挟み込む。さらに、各側面部の端辺に形成した突起片を天面部に沿って折曲げ可能に形成したコ字形の切込片を下方に折り曲げて一旦逃がした後、該突起片を挿着穴に挿着した後、切込片を上方へ復帰することによって、挿着穴に挿入された突起片を固定状態にして、挿着穴から天面部の上方へと突出させることが可能となる。
【００１７】
上記のように本体と蓋体を組み立てる際、夫々の展開形状から容易に組み立てることが可能であり、組み立て後の本体の上部に組み立て後の蓋体を被せることによって、容易に１個のディスプレーを完成させることが可能となる。
【００１８】
さらに、このように本体の上部に蓋体を被せることによって、上方が開放した本体の構造を蓋体で補強する事が可能となる。また、本発明では、本体と蓋体との周壁を共に六角形状となるように形成することによって、積載荷重に強い構造体とすることも可能である。
【００１９】
さらに、上記の構成において、天面部の上方へと突出した左右の突起片は、本発明のディスプレイケースを上方へ積み上げた際、上方の本体の底面部の左右に形成された差込穴に差し込まれ、高さ方向に積み上げた複数のディスプレイケースが横方向にずれるのを防止することが可能となる。
【図面の簡単な説明】
【００２０】
【図１】本発明の実施例におけるディスプレイケースの組立て後の斜視図である。
【図２】本発明の実施例におけるディスプレイケースの蓋体と本体とを分離した状態を示す組立て後の斜視図である。
【図３】本発明の実施例におけるディスプレイケースの本体を示す展開図である。
【図４】本発明の実施例におけるディスプレイケースの蓋体を示す展開図である。
【図５】（ａ）〜(ｄ)は、本発明によるディスプレイケースの本体の組み立て手順を説明するための図である。
【図６】（ａ）〜(ｃ)は、本発明によるディスプレイケースの蓋体の組み立て手順を説明するための図である。
【図７】（ａ）〜(ｃ)は、本発明によるディスプレイケースの蓋体の突起片を本体の係止穴に差し込む手順を説明するための図である。
【図８】(ａ)、(ｂ)は、本発明によるディスプレイケースを積載する手順について説明するための図である。
【発明を実施するための形態】
【００２１】
以下、本発明の実施例について図面を参照しながら説明する。
【実施例】
【００２２】
本実施例のディスプレイケース１は、図１又は図２に示すように、前面側に開口窓１０を有すると共に上方が開放された箱形状の本体２と、該本体２の上方に被せる蓋体３とを有する分割構造から構成されている。このような本実施例のディスプレイケース１を構成する本体２と蓋体３は、図３又は図４に示すように、夫々一枚ずつの段ボールに展開形状として形成され、夫々の本体２と蓋体３を組立てた後に、本体２の上部に蓋体３を被せることによって合体される。
【００２３】
このような構成において、図３に示すように、ディスプレイケース１の本体２は、少なくとも四辺を有する底面部４の前辺４ａと後辺４ｂに沿う各折曲線７ａ、７bを介して連設された前面部５と背面部６とを備えている。
【００２４】
これらの前面部５と背面部６は横長の長方形状に形成され、折曲線７ａ、７ｂで立ち上げた際の立ち上げ高さが同一とされている。また、前面部５は上方に開口した開口窓１０を有しているため、前面部５を折曲線７ａで立ち上げた状態において、下方の枠面５ａと左右の枠面５ｂ、５ｂとで前面部５を形成することになる。
【００２５】
また、本体２の前面部５の左右の辺に沿う各折曲線８ａ、８ｂを介して左右の前方側板部９、９が形成され、本体２の背面部６の左右の辺に沿う各折曲線１１、１１を介して後方側板部１２、１２が形成されている。
【００２６】
さらに、本実施例においては、図２又は図６に示すように、本体２の背面部６を立ち上げた状態で該背面部６と両側の後方側板部１２、１２との間に傾斜面１３、１３を形成したことにより、本体２の周壁が六角形状となるように形成している。
【００２７】
このような構成についてより具体的に述べると、図３に示すように、底面部４と背面部６との境界をなす折曲線７ｂの両端部に内方へ向けて所定幅だけ切込線１４、１４を入れ、夫々の切込線１４、１４の内端から背面部６の高さ方向に折曲線１１ａ、１１ｂを形成することにより、左右の後方側板部１２、１２の幅を広げた構成としている。さらに、左右の各後方側板部１２、１２の面内に高さ方向に折込線１５、１５を形成することにより、夫々の折曲線１１ａ、１１ｂと折込線１５、１５との間を左右の傾斜面１３、１３として形成することが可能となる。
【００２８】
また、上記の本実施例においては、前面部５と背面部６とを立ち上げた状態で夫々の前方側板部９、９と後方側板部１２、１２とが上下方向に互い違いに差し込まれる差込溝１６を形成した差込片１７を備えている。
【００２９】
さらに、底面部４の左右の辺４ｃ、４ｄに沿う各折曲線７ｃ、７ｄを介して連設された押さえ片１８、１８の上部の両側に係止片２０、２０を形成している。左右の押さえ片１８、１８は、図５(ｃ)に示すように、各押さえ片１８、１８を折曲線７ｃ、７ｄで立ち上げたとき、前方又は後方の側板部９、１２の中間高さよりもやや低い位置に至るものとしている。また、各押さえ片１８の上部の両側に形成してある係止片２０は、押さえ片１８の両側に折曲線１９を介して形成した微小幅の首部２１の端部に半円形の係止片２０を形成したものである。
【００３０】
さらに、このような構成において、夫々の押さえ片１８、１８を折曲線７ｃ、７ｄで立ち上げたとき、各折曲線１９で折り曲げた各係止片２０を挿着する係止穴２２を左右夫々の前方側板部９と後方側板部１２の面内に形成した構成としている。
【００３１】
上記の構成により、本体２を組み立てるには、図３の展開状態において、まず前面部５と背面部６を折曲線７ａ、７ｂに沿って立ち上げると、左右の前方側面体９、９を折曲線８ａ、８ｂで後方に折り曲げ、また左右の後方側面体１２、１２を折曲線１１ａ、１１ｂと折込線１５、１５とで前方に折り曲げて後方側面体１２、１２を底面部４の前方に向けることができる。
【００３２】
次いで、図５(ａ)に示すように、左右の前方側板部９、９と後方側板部１２、１２の端部同士を重ねると、前方及び後方の側板部９、１２を上下に食い違うようにずらして互いの差込溝１６、１６を差し込むことにより、図５(ｂ)に示すように、前方側板部９と後方側板部１２とが合体する。
【００３３】
この状態では、左右夫々の前方側板部９と後方側板部１２とが差込溝１６、１６で係合しているだけであるため、図５(ｂ)の矢印で示すように、左右の押さえ片１８、１８を折曲線７ｃ、７ｄで上方へ立ち上げた後、各押さえ片１８の係止片２０を折曲線２１で折り曲げることにより、図５(ｃ)に示すように、各係止片２０を係止穴２２に挿入して係止することによって本体２が完成する。
【００３４】
一方、本実施例において、図１又は図２に示す蓋体３は、図４に示すように、本体２の底面部４よりもやや広く形成した天面部２４の前辺２４ａと後辺２４ｂと左右の辺２４ｃ、２４ｄに沿って形成した各折曲線２５ａ、２５ｂ、２５ｃ、２５ｄを介して連設された前面部２６と背面部２７と左右の側面部２８、２８を備えている。
【００３５】
さらに、図４に示すように、蓋体３の前面部２６の左右には折曲線２６ａ、２６ｂを介して前方の側部折込片２９、２９が連設され、背面部２７の左右には折曲線２７ａ、２７ｂを介して後方の側部折込片３０、３０が連設されている。
【００３６】
また、本実施例においては、上記の本体２の周壁形状に応じて蓋体３の天面部２４の後辺２４ｂの左右の隅部に傾斜辺３２、３２を形成することにより、蓋体３の天面部２４を六角形状に形成している。また、蓋体３の天面部２４の傾斜辺３２、３２に応じて蓋体３の後方の側部折込片３０、３０の面内に折込線３０ａ、３０ｂを形成したことにより、蓋体３の周壁を六角形状に形成可能としている。
【００３７】
さらに、天面部２４の左右の辺２４ｃ、２４ｄに沿う折曲線２５ｃ、２５ｄを介して連設された左右の側面部２８、２８は夫々の側面部２８、２８の半分の高さに形成した折返線２８ａ、２８ｂで折り返し可能とされている。
【００３８】
このような構成により、図６(ａ)、(ｂ)に示すように、蓋体３の前面部２６と背面部２７とを立ち上げた際、互いに内側に折り曲げた前方の側部折込片２９と後方の側部折込片３０とを、折返線２８ａ、２８ｂで内側に折り返した左右の側面部２８（図６(ａ)〜(ｃ)には左方の側面部２８のみを示す）で挟み込むことができる。このとき、図６(ｂ)に示すように、側面部２８の端辺に形成してある突起片３６が、天面部２４に形成されたコ字形の切込片３５に当たって該切込片３５を下方へ押し下げる。
【００３９】
このコ字形の切込片３５は、図４に示すように、上記の突起片３６を挿着する挿着穴３４を天面部２４に沿って折り曲げ可能なコ字形の切込片３５に形成したものであり、天面部２４の左右の辺２４ｃ、２４ｄの夫々のほぼ中央から所定幅の切込線３３を平行に入れ、左右の辺２４ｃ、２４ｄ側に沿って挿着穴３４を形成し、挿着穴３４の内方のコ字形の切込片３５は折り曲げ自在に形成したものである。
【００４０】
従って、図６(ｂ)に示すように、突起片３６が当たってコ字形の切込片３５を押し下げた後、この切込片３５を天面部２４と同一平面になるように上方へ復帰する。これによって、挿着穴３４に挿入された突起片３６が切込片３５で固定された状態となって、図５(ｄ)又は図７(ａ)に示すように、挿着穴３４から天面部２４の上方へと突出することとなる。
【００４１】
そして、図５(ｄ)に示すように本体２の上部に蓋体３を被せて蓋をした状態にすると、図１のように本体と蓋体３とが結合して１個のディスプレイケース１を形成することとなる。
【００４２】
また、図８(ａ)、(ｃ)に示すように、ディスプレイケース１の上方に他のディスプレイケース１を積載することによって、高さ方向に複数のディスプレイケース１を積み重ねることが可能となる。
【００４３】
このとき、図７(ｂ)、(ｃ)に示すように、下方のディスプレイケース１の蓋体３の天面部２４から上方へ突出した左右の突起片３６を上方のディスプレイケース１の本体２の左右の底面部４の左右に形成した差込穴２３、２３に差し込むことによって、高さ方向に積み上げた複数のディスプレイケース１、１・・・が横方向にずれるのを防止することが可能となる。
【産業上の利用可能性】
【００４４】
本発明のディスプレイケースは、商店等において商品をケースに収納した状態で陳列することができ、そのケースを店員等が手作業で簡単に組立てることが可能であり、しかも高さ方向に積み重ねた状態にしても歪まずに陳列可能であるディスプレイケースとして利用可能である。
【符号の説明】
【００４５】
１  ディスプレイケース
２  本体
３  蓋体
４  底面部
４ａ  前辺
４ｂ  後辺
４ｃ、４ｄ  左右の辺
５  前面部
５ａ  下方の枠面
５ｂ  左右の枠面
６  背面部
７ａ、７b  折曲線
８ａ、８ｂ  折曲線
９  前方側板部
１０  開口窓
１０、１０ａ  開口窓
１１ａ、１１ｂ  折曲線
１２  後方側板部
１３  傾斜面
１４  切込線
１５  折込線
１６  差込溝
１７  差込片
１８  押さえ片
１９  折返線
２０  係止片
２１  首部
２２  係止穴
２３  差込穴
２４  天面部
２４ａ  前辺
２４ｂ  後辺
２４ｃ、２４ｄ  左右の辺
２５ａ、２５ｂ、２５ｃ、２５ｄ  折曲線
２６  前面部
２６ａ、２６ｂ  折曲線
２７  背面部
２７ａ、２７ｂ  折曲線
２８  左右の側面部
２８ａ、２８ｂ  折返線
２９  前方の側部折込片
３０  後方の側部折込片
３１  傾斜面
３２  傾斜辺
３３  切込線
３４  挿着穴
３５  コ字形の切込片
３６  突起片
Ｂ  物品
【図１】
2014004019.tif 000003
【図２】
2014004019.tif 000004
【図３】
2014004019.tif 000005
【図４】
2014004019.tif 000006
【図５】
2014004019.tif 000007
【図６】
2014004019.tif 000008
【図７】
2014004019.tif 000009
【図８】
2014004019.tif 000010